(57)【特許請求の範囲】
【請求項１】
ユーザ機器ＵＥが、駐留している第１の基地局に無線リンク障害ＲＬＦが発生し、第２の基地局との無線リソース接続ＲＲＣ確立に成功した場合の無線リンク障害原因の確定方法であって、
前記ＵＥが前記第１の基地局に、前記ＵＥのＲＲＣ確立成功時の位置情報、又は、ＵＥのＲＲＣ確立成功時に記録した周囲環境信号品質情報及び前記ＵＥのＲＲＣ確立成功時の位置情報、又は、前記ＵＥのＲＲＣ確立成功時の位置情報及び前記ＵＥのＲＬＦ発生時の位置情報、又は、前記ＵＥのＲＲＣ確立成功時に記録した周囲環境信号品質情報と前記ＵＥのＲＬＦ発生時の位置情報と前記ＵＥのＲＲＣ確立成功時の位置情報と、を含むＲＬＦ情報を送信するステップと、
前記第１の基地局が前記ＲＬＦ情報に基づき前記無線リンク障害原因を確定するステップと、を含み、
前記ＵＥのＲＬＦ発生時の位置情報と前記ＵＥのＲＲＣ確立成功時の位置情報は、それぞれ経度、緯度、海抜の情報で表示され、
前記ＵＥが前記第１の基地局にＲＬＦ情報を送信するステップは、
前記ＵＥが前記ＲＬＦ情報を前記第２の基地局に報告するステップと、
前記第２の基地局がＸ２又はＳ１インターフェースを介して前記ＲＬＦ情報を前記第１の基地局に送信するステップと、を含む
ことを特徴とする無線リンク障害原因の確定方法。
【請求項２】
前記ＵＥが前記第１の基地局にＲＬＦ情報を送信するステップは、
前記ＵＥが前記ＲＬＦ情報を前記第２の基地局に報告するステップと、
前記第２の基地局がＸ２又はＳ１インターフェースを介して前記ＲＬＦ情報をコアネットワークに送信するステップと、
前記コアネットワークが前記ＲＬＦ情報を前記第１の基地局に送信するステップと、を含む
ことを特徴とする請求項１に記載の無線リンク障害原因の確定方法。
【請求項３】
前記第１の基地局が前記ＲＬＦ情報に基づき前記無線リンク障害原因を確定するステップは、
前記第１の基地局は、前記ＲＬＦ情報に携帯されたＲＬＦ発生時刻に記録された、前記ＵＥの位置するサービングセル及び隣接セルの中の少なくとも一つを含むセルの信号品質が予め設定した閾値より小さいか否かを判定し、
予め設定した閾値より小さいと、前記第１の基地局は、前記無線リンク障害原因がセルのカバー漏れであると確定するステップと、を含む
ことを特徴とする請求項１に記載の無線リンク障害原因の確定方法。
【請求項４】
前記第１の基地局が前記ＲＬＦ情報に携帯された、ＲＬＦ発生時刻に記録されたサービングセル又は隣接セルの信号品質が予め設定した閾値より小さいか否かを判定するステップは、
信号品質の前記予め設定した閾値より小さい前記セルが存在すると、前記無線リンク障害原因が該セルのカバー漏れであると確定するステップと、
セルカバーモード、信号減衰モード、前記ＵＥのＲＬＦ発生時の位置情報、前記ＵＥのＲＲＣ確立成功時の位置情報から、信号品質が前記予め設定した閾値より小さい前記セル中のカバー漏れのサイズと位置を計算するステップと、をさらに含む
ことを特徴とする請求項３に記載の無線リンク障害原因の確定方法。
【請求項５】
前記無線リンク障害原因が該セルのカバー漏れであると確定した後、
カバー漏れのある前記セル中のセルカバーに影響を与えるパラメーターを調整するステップと、をさらに含む
ことを特徴とする請求項４に記載の無線リンク障害原因の確定方法。
【請求項６】
前記周囲環境信号品質情報は、前記ＵＥが前記第２の基地局にＲＲＣ要求を発起する際に測定したサービングセルと隣接セルのサービス信号品質の中の少なくとも一つを含む
ことを特徴とする請求項１に記載の無線リンク障害原因の確定方法。
【請求項７】
前記第１の基地局と前記第２の基地局が異なるシステムに位置する
ことを特徴とする請求項１に記載の無線リンク障害原因の確定方法。
【請求項８】
第１の基地局に位置し、ユーザ機器ＵＥが、駐留している前記第１の基地局に無線リンク障害ＲＬＦが発生し、第２の基地局との無線リソース接続ＲＲＣ確立に成功した場合の無線リンク障害原因の確定装置であって、
前記ＵＥのＲＲＣ確立成功時の位置情報、又は、ＵＥのＲＲＣ確立成功時に記録された周囲環境信号品質情報及び前記ＵＥのＲＲＣ確立成功時の位置情報、又は、前記ＵＥのＲＲＣ確立成功時の位置情報及び前記ＵＥのＲＬＦ発生時の位置情報、又は、前記ＵＥのＲＲＣ確立成功時に記録した周囲環境信号品質情報と前記ＵＥのＲＬＦ発生時の位置情報と前記ＵＥのＲＲＣ確立成功時の位置情報と、を含む前記ＵＥからのＲＬＦ情報を受信する受信ユニットと、
前記ＲＬＦ情報に基づき前記無線リンク障害原因を確定する確定ユニットと、を含み、
前記ＵＥのＲＬＦ発生時の位置情報と前記ＵＥのＲＲＣ確立成功時の位置情報は、それぞれ経度、緯度、海抜の情報で表示され、
前記受信ユニットは、
前記ＵＥから送信され前記第２の基地局により転送される前記ＲＬＦ情報を受信する第１の受信モジュールと、
前記ＵＥから送信され前記第２の基地局とコアネットワークにより転送される前記ＲＬＦ情報を受信する第２の受信モジュールと、を含む
ことを特徴とする無線リンク障害原因の確定装置。
【請求項９】
前記確定ユニットは、
前記ＲＬＦ情報に携帯されたＲＬＦ発生時刻に記録された、前記ＵＥの位置するサービングセル及び隣接セルの中の少なくとも一つを含むセルの信号品質が予め設定した閾値より小さいか否かを判定する判定モジュールと、
前記ＲＬＦ情報に携帯されたＲＬＦ発生時刻に記録されたセルの信号品質が前記予め設定した閾値より小さい場合、前記無線リンク障害原因がセルのカバー漏れであると確定する確定モジュールと、を含む
ことを特徴とする請求項８に記載の無線リンク障害原因の確定装置。
【請求項１０】
前記無線リンク障害原因がセルのカバー漏れであると確定した後、カバー漏れのある前記セル中のセルカバーに影響を与えるパラメーターを調整する調整ユニットをさらに含む
ことを特徴とする請求項９に記載の無線リンク障害原因の確定装置。
【発明の詳細な説明】
【技術分野】
【０００１】
本発明は、無線移動通信分野に関し、具体的に、無線リンク障害原因の確定方法及び装置に関する。
【背景技術】
【０００２】
ＬＴＥ（Long Term Evolution：長期進化）ネットワークは、Ｅ−ＵＴＲＡＮ（Evolved TTRAN：進化型ＵＭＴＳ（Universal Mobile Telecommunications System：汎用移動通信システム）地上無線アクセスネットワーク）基地局ｅＮＢ（Evolved Node B：進化型Node B）と、ＥＰＣ（Evolved Packet Core：進化型パケット交換センター）から構成され、ネットワークが平坦化されている。Ｅ−ＵＴＲＡＮは、Ｓ１インターフェースを介してＥＰＣに接続されるｅＮＢの集合を含み、ｅＮＢ同士はＸ２を介して接続される。Ｓ１、Ｘ２は、ロジックインターフェースである。一つのＥＰＣは一つ又は複数のｅＮＢを管理することができ、一つのｅＮＢも複数のＥＰＣによって制御され、一つのｅＮＢは一つ又は複数のセルを管理することができる。ＥＰＣは、ＭＭＥ（Mobility Management  Entity：移動管理ユニット）と、ＳＧＷ（Serving Gateway：サービング・ゲートウェイ）と、ＰＧＷ（Packet Data Network Gateway：パケットデータネットワークゲートウェイ）から構成される。
【０００３】
ＬＴＥにおいて、無線環境又はユーザ機器（ＵＥ：User Equipment）がネットワークカバー領域で移動する等の要因の影響で、ＵＥの接続に異常、例えば、ＵＥの無線リンク障害（ＲＬＦ：Radio Link Failure）が発生し、ＵＥの正常業務に影響を与えてしまうことがある。このような問題を防止するためには、例えばカバー領域にカバー漏れがあるかのようなＲＬＦの発生原因を早速検知する必要がある。しかし、ＬＴＥネットワークにおいて、パラメーターの不当な切替もＵＥにＲＬＦを生じることがあって、例えば、サービングセルがＵＥを信号が良好でない隣接セルに切替して、ＵＥに隣接セルでＲＬＦが発生することがある。このような状況を最適化するため、ＬＴＥの自己組織化ネットワーク機能（ＳＯＮ：Self-Organizing Network）において、移動性無謀性の最適化（ＭＲＯ、Mobility  Robustness Optimization）が提出される。ＭＲＯは、ＵＥのＲＬＦ挙動発生によって、現在の移動性パラメーターに存在する問題を発見できる。例えば、図１に示すように、セル１（ｅＮＢ１）に位置するＵＥにＲＬＦが発生した場合、最終的にＵＥがセル２（ｅＮＢ２）を選択して再確立を発起すると、セル２（ｅＮＢ２）はＵＥの再確立メッセージに基づきセル１（ｅＮＢ１）にＲＬＦ指示（ＲＬＦ  ＩＮＤＩＣＡＴＩＯＮ）を早速送信する。ＵＥはセル２での再確立に失敗し、ＩＤＬＥ（アイドル）状態に戻ると、ＵＥはセル選択によって新しいセル３を選択してＲＲＣ（Radio Resource Connection：無線リソース接続）を確立する。一方、ＵＥがＩＤＬＥ状態である期間、ＵＥが複数のセルを経過する可能性があって、ＵＥにＲＬＦが発生した時刻からＲＲＣ確立するまでの間において、ＵＥが収集できる情報は、ネットワーク側がカバー問題であるかそれとも移動性パラメーターの問題であるかを検知することに対し重要な作用を果たす。
【０００４】
しかし、上記のように、カバー漏れによってＵＥにＲＬＦが発生することもあるので、ネットワーク側がＲＬＦの原因を正確に判定できなくなる可能性がある。例えば、ＵＥがＲＲＣ接続の再確立に失敗した後にＩＤＬＥ状態に移転した時から、ＵＥがセル選択によって適切なセルを選択してＲＲＣの確立に成功するまでの間の時間が長い時もあるし短い時もある。これは、ＵＥの移動軌跡及びカバー漏れのサイズと関係がある。現在、ＵＥから報告される情報は、カバーに起因するＲＬＦであるか否かを判定するための、ＵＥにＲＬＦが発生する時刻の測定結果のみを含んでいるので、ＲＬＦの原因を正確に判定することはできない。
【発明の概要】
【発明が解決しようとする課題】
【０００５】
本発明は、既存の技術においてＲＬＦの発生原因を正確に判定できない問題に鑑み、上記問題の中の少なくとも一つを解決できるように、無線リンク障害原因の確定方法及び装置を提供することを目的とする。
【課題を解決するための手段】
【０００６】
上記目的を実現するため、本発明の一態様によると、ＵＥが駐留している第１の基地局にＲＬＦが発生し、第２の基地局とのＲＲＣ確立に成功した場合の無線リンク障害原因の確定方法であって、上記ＵＥが上記第１の基地局に、ＵＥのＲＲＣ確立成功時に記録した周囲環境信号品質情報、上記ＵＥのＲＬＦ発生時の位置情報、上記ＵＥのＲＲＣ確立成功時の位置情報の中の少なくとも一つを含むＲＬＦ情報を送信するステップと、上記第１の基地局が上記ＲＬＦ情報に基づき上記無線リンク障害原因を確定するステップを含む無線リンク障害原因の確定方法を提供する。
【０００７】
上記ＵＥが上記第１の基地局にＲＬＦ情報を送信するステップは、上記ＵＥが上記ＲＬＦ情報を上記第２の基地局に報告するステップと、上記第２の基地局がＸ２又はＳ１インターフェースを介して上記ＲＬＦ情報を上記第１の基地局に送信するステップを含む。
【０００８】
上記ＵＥが上記第１の基地局にＲＬＦ情報を送信するステップは、上記ＵＥが上記ＲＬＦ情報を上記第２の基地局に報告するステップと、上記第２の基地局がＸ２又はＳ１インターフェースを介して上記ＲＬＦ情報をコアネットワークに送信するステップと、上記コアネットワークが上記ＲＬＦ情報を上記第１の基地局に送信するステップを含む。
【０００９】
上記第１の基地局が上記ＲＬＦ情報に基づき上記無線リンク障害原因を確定するステップは、上記第１の基地局が上記ＲＬＦ情報に携帯されたＲＬＦ発生時刻に記録された、上記ＵＥが位置するサービングセル及び隣接セルの中の少なくとも一つを含むセルの信号品質が予め設定した閾値より小さいか否かを判定し、予め設定した閾値より小さいと、上記第１の基地局は、上記無線リンク障害原因がセルのカバー漏れであると確定するステップを含む。
【００１０】
上記第１の基地局が上記ＲＬＦ情報に携帯された、ＲＬＦ発生時刻に記録されたサービングセル又は隣接セルの信号品質が予め設定した閾値より小さいか否かを判定するステップは、信号品質の上記予め設定した閾値より小さい上記セルが存在すると、上記無線リンク障害原因が該セルのカバー漏れであると確定するステップと、セルカバーモード、信号減衰モード、上記ＵＥのＲＬＦ発生時の位置情報、上記ＵＥのＲＲＣ確立成功時の位置情報から、信号品質が上記予め設定した閾値より小さい上記セル中のカバー漏れのサイズと位置を計算するステップをさらに含む。
【００１１】
上記無線リンク障害原因が該セルのカバー漏れであると確定した後、カバー漏れのある前記セル中のセルカバーに影響を与えるパラメーターを調整するステップをさらに含む。
【００１２】
上記周囲環境信号品質情報は、上記ＵＥが上記第２の基地局にＲＲＣ要求を発起する際に測定したサービングセルと隣接セルのサービス信号品質の中の少なくとも一つを含む。
【００１３】
上記第１の基地局と上記第２の基地局が異なるシステムに位置する。
【００１４】
上記目的を実現するため、本発明の他の一態様によると、第１の基地局に位置し、ユーザ機器ＵＥが、駐留している上記第１の基地局にＲＬＦが発生し、第２の基地局とのＲＲＣ確立に成功した場合の無線リンク障害原因の確定装置であって、ＵＥがＲＲＣ確立成功時に記録された周囲環境信号品質情報、上記ＵＥのＲＬＦ発生時の位置情報、上記ＵＥのＲＲＣ確立成功時の位置情報の中の少なくとも一つを含む上記ＵＥからのＲＬＦ情報を受信する受信ユニットと、上記ＲＬＦ情報に基づき上記無線リンク障害原因を確定する確定ユニットと、を含む無線リンク障害原因の確定装置を提供する。
【００１５】
上記受信ユニットは、上記ＵＥから送信され上記第２の基地局により転送される上記ＲＬＦ情報を受信する第１の受信モジュールと、上記ＵＥから送信され上記第２の基地局とコアネットワークにより転送される上記ＲＬＦ情報を受信する第２の受信モジュールと、を含む。
【００１６】
上記確定ユニットは、上記ＲＬＦ情報に携帯されたＲＬＦ発生時刻に記録された、上記ＵＥの位置するサービングセル及び隣接セルの中の少なくとも一つを含むセルの信号品質が予め設定した閾値より小さいか否かを判定する判定モジュールと、上記ＲＬＦ情報に携帯されたＲＬＦ発生時刻に記録されたセルの信号品質が上記予め設定した閾値より小さい場合、上記無線リンク障害原因がセルのカバー漏れであると確定する確定モジュールと、を含む。
【００１７】
上記装置は、上記無線リンク障害原因がセルのカバー漏れであると確定した後、信号品質が予め設定した閾値より小さい上記セル中のセルカバーに影響を与えるパラメーターを調整する調整ユニットをさらに含む。
【発明の効果】
【００１８】
本発明によると、周囲環境信号品質情報及び位置情報に基づき、無線リンク障害原因を判定することによって、ネットワーク側がより正確で全面的な情報を取得することができる。そして、本発明によると、カバー問題に起因するＲＬＦ問題を分析し、カバー漏れのサイズ状況を推定することによって、ネットワークカバー問題を解決するために検知方法を提供すると同時に、ネットワーク側がカバー状況に基づき対応する最適化を行う措置に有利であって、ネットワーク通話切断率を低減させ、ネットワーク性能を向上できる。
【００１９】
本発明の他の特徴及びメリットは明細書で説明し、また、明細書の記載から一部が明らかになり、又は本発明を実施することによって理解できる。本発明の目的及び他のメリットは明細書、特許請求の範囲、図面において特別に示した構造によって実現して得ることができる。
【図面の簡単な説明】
【００２０】
ここで説明する図面は本発明を理解させるためのもので、本発明の一部を構成し、本発明における実施例と共に本発明を解釈し、本発明を不当に限定するのではない。
【図１】は、関連技術に係わるカバー問題に起因する端末の移動を示す図である。
【図２】は、本発明の実施例に係わる好適な無線リンク障害原因の確定方法を示すフローチャートである。
【図３】は、本発明の実施例に係わる他の好適な無線リンク障害原因の確定方法を示すフローチャートである。
【図４】は、本発明の実施例に係わる他の好適な無線リンク障害原因の確定方法を示すフローチャートである。
【図５】は、本発明の実施例に係わる好適な無線リンク障害原因の確定装置を示す図である。
【発明を実施するための形態】
【００２１】
以下、図面を参照しつつ、実施例を結合して本発明を詳しく説明する。ここで、衝突しない限り、本願に記載の実施例及び実施例に記載の特徴を互いに組み合わせることができることは言うまでもない。
【００２２】
[実施例１]
図２は、本発明の実施例に係わる好適な無線リンク障害原因の確定方法を示すフローチャートである。該実施例において、ＵＥが駐留している第１の基地局で無線リンク障害ＲＬＦが発生し、第２の基地局とのＲＲＣ確立に成功した。図２に示す確定方法は以下のステップを含む。
上記ＵＥが、上記第１の基地局にＲＬＦ情報を送信し（Ｓ２０２）、上記ＲＬＦ情報は、ＵＥがＲＲＣ確立成功時に記録された周囲環境信号品質情報と、上記ＵＥのＲＬＦ発生時の位置情報と、上記ＵＥのＲＲＣ確立成功時の位置情報と、の中の少なくとも一つを含む。
【００２３】
上記第１の基地局が、上記ＲＬＦ情報に基づき上記無線リンク障害原因を確定する（Ｓ２０４）。
【００２４】
当該好適な実施例によると、周囲環境信号品質情報と位置情報に基づき無線リンク障害原因を判定するので、ネットワーク側がさらに正確で全面的な情報を得られる。
【００２５】
前記ＵＥが前記第１の基地局にＲＬＦ情報を送信するステップは、前記ＵＥが前記ＲＬＦ情報を前記第２の基地局に報告するステップと、前記第２の基地局がＸ２又はＳ１インターフェースを介して前記ＲＬＦ情報を前記第１の基地局に送信するステップを含むことが好ましい。当該好適な実施例において、インターフェースを介してＲＬＦ情報をソース基地局に送信し、ソース基地局が携帯された情報に基づきその前にＲＬＦが発生した時のカバー漏れ状況を判定することができる。
【００２６】
前記ＵＥが前記第１の基地局にＲＬＦ情報を送信するステップが、前記ＵＥが前記ＲＬＦ情報を前記第２の基地局に報告するステップと、前記第２の基地局がＸ２又はＳ１インターフェースを介して前記ＲＬＦ情報をコアネットワークに送信するステップと、前記コアネットワークが前記ＲＬＦ情報を前記第１の基地局に送信するステップを含むことが好ましい。当該好適な実施例によると、本発明をさまざまな状況に応用することができる。
【００２７】
前記第１の基地局が前記ＲＬＦ情報に基づき前記無線リンク障害原因を確定するステップは、前記第１の基地局が前記ＲＬＦ情報に基づき前記無線リンク障害原因のセルのカバー漏れであると確定するステップを含むことが好ましい。具体的に、第１の基地局（即ち、ソース基地局）はＲＬＦ情報に携帯されたＲＬＦの発生した時刻に記録したセルの信号品質が予め設定した閾値より小さいか否かを判定し、前記セルは前記ＵＥが位置するサービングセル及び隣接セルの中の少なくとも一つを含み、予め設定した閾値より小さいと、前記無線リンク障害原因がセルのカバー漏れであると確定する。
【００２８】
前記第１の基地局が前記ＲＬＦ情報に基づき前記無線リンク障害原因を確定するステップは、前記第１の基地局が前記ＲＬＦ情報に基づきカバー漏れのあるセル及びカバー漏れのサイズと位置を確定するステップを含むことが好ましい。具体的に、信号品質が前記予め設定した閾値より小さい前記セルが存在すると、前記無線リンク障害原因が該セルのカバー漏れであると確定し、セルカバーモード、信号減衰モード、前記ＵＥのＲＬＦ発生時の位置情報、前記ＵＥのＲＲＣ確立成功時の位置情報から、信号品質が前記予め設定した閾値より小さい前記セルのカバー漏れのサイズと位置を計算する。
【００２９】
例えば、ＲＬＦ情報は、１）図１に示す場合において、ＵＥがＲＬＦの発生した時刻に記録した、現在のサービングセル１の信号品質、セル２の信号品質、セル３の信号品質情報を含んだ周囲環境信号品質情報と、２）記録されたＵＥのＲＬＦの発生した時の位置情報と、３）ＵＥがセル３でＲＲＣ確立する際の、現在のサービングセル３の信号品質と、セル１の信号品質と、セル３の信号品質情報とを含んだ周囲環境信号品質情報と、４）記録されたＵＥのＲＲＣ確立成功時の位置情報と、を含む。二つの異なる位置情報の距離を計算することによって二点の間の距離を大体推定でき、同時に、セル１、セル２、セル３の信号品質の差に基づき、例えば、セル１の信号品質が全て小さいと、セル１のカバーに問題があると判定することができる。また、セル１のカバー範囲内において、ＵＥのＲＬＦ発生時の位置情報とＵＥのＲＲＣ確立成功時の位置情報、及び該セルのカバーモードから各点の信号減衰値を推計し、ある一つの点の信号減衰値が信号減衰モードで推定された信号減衰値より明らかに小さい（例えば、信号減衰モードで推定された信号減衰値から予定の閾値を引いた値より小さい）と、該点でのセルカバーに問題があると判定する。当該方式によると、カバー漏れのあるセル中のカバー漏れのサイズと位置を大体推定できる。
【００３０】
前記第１の基地局が前記ＲＬＦ情報に基づきカバー漏れのあるセル及びカバー漏れのサイズを確定した後、カバー漏れのある前記セル中のセルカバーに影響を与えるパラメーターを調整するステップをさらに含むことが好ましい。具体的に、確定された前記カバー漏れのあるセル及び前記カバー漏れのサイズと位置に基づき、最適化パラメーターを生成し、前記最適化パラメーターを用いてカバー漏れのあるセル中のセルカバーに影響を与えるパラメーターを調整する。例えば、ソース基地局においてカバー問題のあるセルがあると判定された後、カバー問題のあるセルの送信電力、アンテナ傾斜等のセルカバーに影響を与えるパラメーターを調整してネットワークの最適化の目的を実現する。
【００３１】
前記周囲環境信号品質情報が、前記ＵＥが前記第２の基地局にＲＲＣ要求を発起する際に測定されたサービングセルと隣接セルのサービス信号品質の中の少なくとも一つを含むことが好ましい。
【００３２】
上記位置情報を経度、緯度、海抜等の情報で表すことが好ましい。
【００３３】
前記第１の基地局と前記第２の基地局は、異なるシステムに位置することが好ましい。つまり、ＵＥが異なるシステムでＲＲＣ接続を確立する場合、例えば、ＵＴＲＡＮ（ＵＭＴＳ（Universal  Mobile  Telecommunications  System：汎用移動体通信システム）地上無線アクセスネットワーク）、ＧＳＭ（Global  System  For  Mobile  Communications：グローバル移動通信システム）（登録商標）システムで確立する場合も、本発明の各実施例に記載の確定方法を適用できる。
【００３４】
ＵＥが報告した上記情報をもインターフェースを介して基地局間で伝送することが好ましい。例えば、ＬＴＥシステムにおけるＸ２インターフェース又はＳ１インターフェースを介して伝送することができる。
【００３５】
本発明の好適な実施例において、端末がＲＬＦ関連情報を報告し、ネットワーク側がＲＬＦ関連情報を取得してＲＬＦを生じさせたカバー問題を判定し、また、ＵＥにより測定された時間、環境信号品質関連情報に基づきカバー漏れのサイズと位置を推定して、カバー漏れの検知及び測定のためにさらに多い依拠を提出できる。
【００３６】
[実施例２]
図３を結合して、端末がＲＬＦ関連情報を報告するプロセスを説明する。図３に示すように、端末がＲＬＦ関連情報を報告するプロセスは以下のステップを含む。ＵＥが基地局１の管轄するＣｅｌｌ １に駐留し、無線品質が悪くなる又は他の原因で無線リンク障害ＲＬＦが発生し、ＵＥがセル選択プロセスに基づき基地局２の管轄するセルＣｅｌｌ ２を選択してＲＲＣ再確立プロセスを行って、再確立に失敗し、ＵＥがＩＤＬＥ状態に移転し、ＵＥの移動中に、ＵＥがセル選択によって基地局３のＣｅｌｌ ３にＲＲＣ確立に成功し、その間、ＵＥはＲＬＦ発生前のサービングセルと周囲隣接セルの信号品質の測定結果を記録する以外、ＵＥがＲＲＣ確立を発起する際に測定されたサービングセルと周囲セルの信号品質の測定結果を記録することもでき、ＵＥのＲＬＦ発生時刻の位置情報及び/又はＵＥのＲＲＣ確立成功時刻の位置情報を含むこともでき、位置情報を経度、緯度、海抜等の情報で表示することができる（Ｓ３０２）。
【００３７】
ＵＥはＲＲＣ確立完成メッセージ（RRC Connection Setup Complete）に無線リンク障害関連測定情報の指示情報を携帯して、基地局３に対して、ＵＥが記憶されたＲＬＦ関連の測定情報を報告するように指示する（Ｓ３０４）。ＲＬＦ関連の測定情報とは、ＲＬＦ発生前のサービングセルと周囲隣接セルの信号品質測定結果、ＵＥがその後ＲＲＣ確立を発起する際に測定したサービングセルと周囲セルの信号品質の測定結果、ＵＥのＲＬＦ発生時刻の位置情報、ＵＥのＲＲＣ確立成功時刻の位置情報の中の一つ又は複数を指す。
【００３８】
基地局３は、無線リンク障害関連測定情報の指示情報を受信した後、ＵＥ情報要求メッセージ（UE Information Request）を下へ送信し、ＵＥに関連ＲＬＦの測定情報を報告させる（Ｓ３０６）。
【００３９】
ＵＥは、ＵＥ情報応答メッセージ（UeInformationResponse）によって無線リンク障害関連の測定情報を基地局３に報告することができる（Ｓ３０８）。基地局３は、無線リンク障害関連の測定情報をＸ２又はＳ１のメッセージを介して基地局１に送信することができる。利用可能なメッセージがＲＬＦ  ＩＮＤＩＣＡＴＩＯＮ（ＲＬＦ指示）メッセージ等であることが好ましい。
【００４０】
基地局１は無線リンク障害関連の測定情報を受信して、他のＲＬＦ情報を結合し、ＲＬＦの原因がカバー漏れにあるかそれとも切替パラメーターの不合理な設定にあるかを判定し、例えば、サービングセルと周囲セルの信号品質が全て悪いと、カバー漏れがあると判定できる。同時に、記録されたＲＬＦ発生前のサービングセルと周囲隣接セルの信号品質測定結果、ＵＥがその後ＲＲＣ確立を発起する際に測定したサービングセルと周囲セルの信号品質の測定結果、ＵＥが記録した二つの時刻の位置情報に基づき、ネットワーク管理システムのデータベースに記憶されたネットワーク構造情報におけるこれらの位置にセル分布情報を結合して、ネットワークカバー問題がどのセルカバーに起因するものであるか、及びカバー漏れのサイズを評価でき、合理的なパラメーターの最適化を行うことができ、システム性能を向上できる。
【００４１】
[実施例３]
図４を結合して、基地局間でのＲＬＦ報告情報の伝送及び処理プロセスを説明する。図４に示すように、基地局間でのＲＬＦ報告情報の伝送及び処理プロセスは以下のステップを含む。
１）実施例２の場合、基地局３がＵＥにより報告されたＲＬＦ関連測定情報を受信した場合、基地局３と基地局１との間に直接インターフェースが存在すると、ステップ２）に移行し、基地局３と基地局１との間に直接インターフェースが存在しないと、ステップ３）に移行する。
２）基地局３は、ＲＬＦ指示（ＲＬＦ ＩＮＤＩＣＡＴＩＯＮ）メッセージによってＸ２インターフェースでＲＬＦ関連測定情報を基地局１に送信し、基地局１によりローカル処理を行って、ステップ５）に移行する。
３）基地局３は、ＲＬＦ関連測定情報をＳ１インターフェースによってコアネットワークに送信し、同時に、該メッセージに基地局１の下のＣｅｌｌ １のルーティング情報、例えば、ＴＡＣ、基地局１のグローバルＩＤ情報を含ませる。
４）コアネットワークは、ＲＬＦ関連測定情報を基地局１に伝送し、基地局１によってローカル処理を行う。
５）基地局１は、無線リンク障害関連の測定情報を受信し、他のＲＬＦ情報を結合して、ＲＬＦの原因がカバー漏れであるかそれとも切替パラメーターの不合理にあるかを判定し、例えば、サービングセルと周囲セルの信号品質が全て悪いと、カバー漏れが存在する可能性があると判定できる。同時に、記録されたＲＬＦ発生前のサービングセルと周囲隣接セルの信号品質測定結果、ＵＥがその後にＲＲＣ確立を発起する際に測定したサービングセルと周囲セルの信号品質の測定結果、ＵＥの記録した二つの時刻の位置情報に基づき、ネットワーク管理システムのデータベースに記憶されたネットワークトポロジー情報におけるこれらの位置でのセル分布情報を結合し、ネットワークカバー問題がどのセルカバーに起因するものであるか、及びカバー漏れのサイズを査定でき、合理的なパラメーターの最適化を行うことができ、システム性能を向上できる。
【００４２】
[実施例４]
図５は、本発明の実施例に係わる無線リンク障害原因の確定装置の好適な構造を示す図である。図５に示すように、好適な実施例による無線リンクの障害原因の確定装置は第１の基地局に位置し、ＵＥは駐留する前記第１の基地局において無線リンク障害ＲＬＦが発生し、第２の基地局とのＲＲＣ確立に成功した。具体的に、該確定装置は、ＵＥがＲＲＣ確立成功時に記録した周囲環境信号品質情報、前記ＵＥのＲＬＦ発生時の位置情報、前記ＵＥのＲＲＣ確立成功時の位置情報の中の少なくとも一つを含む前記ＵＥからのＲＬＦ情報を受信する受信ユニット５０２と、受信ユニット５０２に接続され、前記ＲＬＦ情報に基づき前記無線リンク障害原因を確定する確定ユニット５０４と、を含む。
【００４３】
当該好適な実施例によると、周囲環境信号品質情報及び位置情報に基づき無線リンク障害原因を判定し、ネットワーク側がより正確で全面的な情報を取得できる。そして、本発明によると、カバー問題に起因するＲＬＦ問題を分析し、カバー漏れのサイズ状況を推測し、ネットワークカバー問題を解決するために検知方法を提供するともに、ネットワーク側がカバー状況に基づき対応する最適化を行う措置に有利であって、ネットワーク通話切断率を低減させ、ネットワーク性能を向上できる。
【００４４】
前記受信ユニット５０２が、前記ＵＥから送信され且つ前記第２の基地局により転送される前記ＲＬＦ情報を受信する第１の受信モジュールと、前記ＵＥから送信され且つ前記第２の基地局とコアネットワークにより転送される前記ＲＬＦ情報を受信する第２の受信モジュールと、を含むことが好ましい。当該好適な実施例によると、本発明をさまざまな場合に適用できる。
【００４５】
前記確定ユニット５０４が、前記ＲＬＦ情報に携帯されたＲＬＦ発生時刻に記録された、前記ＵＥが位置するサービングセル及び隣接セルの中の少なくとも一つを含むセルの信号品質が予め設定した閾値より小さいか否かを判定する判定モジュールと、判定モジュールに接続され、前記ＲＬＦ情報に携帯されたＲＬＦ発生時刻に記録したセルの信号品質が前記予め設定された閾値より小さい場合、前記無線リンク障害がセルのカバー漏れに起因するものであると確定する確定モジュールと、を含むことが好ましい。
【００４６】
確定ユニット５０４が前記ＲＬＦ情報に基づき前記無線リンク障害原因を確定するステップは、確定ユニット５０４が前記ＲＬＦ情報に基づきカバー漏れのあるセル及びカバー漏れのサイズと位置を確定するステップをさらに含むことが好ましい。具体的に、信号品質が前記予め設定した閾値より小さい前記セルが存在すると、前記無線リンク障害原因が該セルのカバー漏れであると確定し、セルカバーモード、信号減衰モード、前記ＵＥのＲＬＦ発生時の位置情報、前記ＵＥのＲＲＣ確立成功時の位置情報から信号品質が前記予め設定した閾値より小さい前記セル中のカバー漏れのサイズと位置を計算する。
【００４７】
例えば、ＲＬＦ情報は、１）現在のサービングセル１の信号品質、セル２の信号品質、セル３の信号品質の情報を含む図１に示す場合においてＵＥがＲＬＦ発生時刻に記録した周囲環境信号品質情報と、２）記録されたＵＥのＲＬＦ発生時の位置情報と、３）現在のサービングセル３の信号品質、セル１の信号品質、セル３の信号品質の情報を含む、ＵＥがセル３でＲＲＣ確立を行う時の周囲環境信号品質情報と、４）記録されたＵＥのＲＲＣ確立成功時の位置情報と、を含む。二つの異なる位置情報の距離を計算することによって二つの点の距離を大体推定でき、同時に、セル１、セル２、セル３の信号品質の差に基づき、例えば、セル１の信号品質が全て非常に小さいと、セル１のカバーに問題があると判定できる。また、セル１のカバー範囲内において、ＵＥのＲＬＦの発生時の位置情報とＵＥのＲＲＣ確立成功時の位置情報、該セルのカバーモードから各点の信号減衰値を計算し、ある一つの点の信号減衰値が明らかに信号減衰モードで推定された信号減衰値より小さい（例えば、信号減衰モードで推定された信号減衰値から予定の閾値を引いた値より小さい）と、該点のセルカバーに問題があると判定できる。当該方式によると、カバー漏れのあるセル中のカバー漏れのサイズと位置を大体推定できる。
【００４８】
当該好適な実施例における確定装置は、確定ユニット５０４に接続され、前記無線リンク障害原因がセルのカバー漏れであると確定された後、カバー漏れのある前記セル中のセルカバーに影響を与えるパラメーターを調整する調整ユニット５０６をさらに含むことが好ましい。当該好適な実施例において、異常のあるセルのパラメーターを調整することによって、ネットワークを最適化できる。
【００４９】
調整ユニット５０６は、以下のステップでカバー漏れのある前記セルに中のセルカバーに影響を与えるパラメーターを調整することが好ましい。つまり、確定された前記カバー漏れのあるセル及び前記カバー漏れのサイズと位置に基づき、最適化パラメーターを生成し、前記最適化パラメーターを用いカバー漏れのあるセル中のセルカバーに影響を与えるパラメーターを調整する。例えば、ソース基地局によりカバー問題のあるセルを判定した後、カバー問題のあるセルの送信電力、アンテナ傾斜等のセルカバーに影響を与えるパラメーターを調整しネットワーク最適化の目的を実現する。
【００５０】
前記周囲環境信号品質情報は、前記ＵＥが前記第２の基地局にＲＲＣ要求を発起する際に測定したサービングセルと隣接セルのサービス信号品質の中の少なくとも一つを含むことが好ましい。
【００５１】
上記位置情報を経度、緯度、海抜等の情報で表すことが好ましい。
【００５２】
前記第１の基地局と前記第２の基地局が異なるシステムに位置することが好ましい。つまり、ＵＥが例えばＵＴＲＡＮ、ＧＳＭ（登録商標）のような、異なるシステムでＲＲＣ接続を確立する場合も、本発明の各実施例に記載の確定方法を適用できる。
【００５３】
ＵＥが報告した上記情報をインターフェースを介して基地局間で伝送することが好ましい。例えば、ＬＴＥシステムにおけるＸ２インターフェース又はＳ１インターフェースを介して伝送することができる。
【００５４】
一方、付図のフローチャートに示すステップを１組のコンピュータが命令を実行可能なコンピュータシステムで実行することができ、また、フローチャートに論理順を示しているが、場合によっては、図面に示したステップ又は説明したステップを他の順で実行することもできる。
【００５５】
当業者にとって、上記の本発明の各モジュール又は各ステップは汎用の計算装置によって実現することができ、独立する計算装置に集中させることもでき、複数の計算装置から構成されるネットワークに分布させることもでき、さらに計算装置が実行可能なプログラムのコードによって実現することもできるので、それらを記憶装置に記憶させ計算装置によって実行することができ、又は夫々集積回路モジュールに製作し、又はそれらにおける複数のモジュール又はステップを独立の集積回路モジュールに製作し実現することができることは、明らかなことである。このように、本発明は如何なる特定のハードウェアとソフトウェアの結合にも限定されない。
【００５６】
以上は、本発明の好適な実施例に過ぎず、本発明を限定するものではない。当業者にとって、本発明に様々な修正や変形が可能である。本発明の精神や原則内での如何なる修正、置換、改良などは本発明の保護範囲内に含まれる。
【００５７】
本発明は無線移動通信分野に適用し、無線リンク障害原因の確定に応用される。本発明の主な目的は、ネットワーク側がＲＬＦの原因を正確に判定できない問題を解決することで、本発明によると、周囲環境信号品質情報及び位置情報に基づき無線リンク障害原因を判定し、ネットワーク側がより正確で全面的な情報を取得することができる。
【符号の説明】
【００５８】
５０２  受信ユニット
５０４  確定ユニット
５０６  調整ユニット
【図１】
0005839622.tif 000002
【図２】
0005839622.tif 000003
【図３】
0005839622.tif 000004
【図４】
0005839622.tif 000005
【図５】
0005839622.tif 000006